(57)【要約】      （修正有）【課題】高効率且つ低コストな物流管理システムを提供する。【解決手段】流通データを記憶媒体用ＩＤと対応付けて保存するデータベースを有するサーバと、サーバと情報通信ネットワークを介して通信可能な、記憶媒体用ＩＤの読み取り手段を有する情報処理装置とを備えた物流管理システムであって、流通データは複数のデータ要素から構成されて半構造化されてなり、情報処理装置の読み取り手段によって第１の記憶媒体から読み取られた記憶媒体用ＩＤと、情報処理装置から送信された、記憶媒体用ＩＤに対応する物品に関する表示用情報の送信要求とを受信したサーバは、記憶媒体用ＩＤに対応する流通データをデータベースから読み出し、流通データのデータ要素に基づき、情報処理装置において取り扱い可能な表示用情報を生成し、情報処理装置へ送信してなる。【選択図】図１
2005082338.tif 000002
【特許請求の範囲】
【請求項１】
記憶媒体用ＩＤを読み取り可能な第１の記憶媒体が貼付される物品の流通に関する流通データを当該記憶媒体用ＩＤと対応付けて保存するデータベースを有するサーバと、
当該サーバと情報通信ネットワークを介して通信可能な、前記記憶媒体用ＩＤの読み取り手段を有する情報処理装置と、
を備えた物流管理システムであって、
前記流通データは複数のデータ要素から構成されて半構造化されてなり、
前記情報処理装置の前記読み取り手段によって前記第１の記憶媒体から読み取られた前記記憶媒体用ＩＤと、当該情報処理装置から送信された、当該記憶媒体用ＩＤに対応する前記物品に関する表示用情報の送信要求と、を受信した前記サーバは、
当該記憶媒体用ＩＤに対応する前記流通データを前記データベースから読み出し、当該流通データの前記データ要素に基づき、当該情報処理装置において取り扱い可能な前記表示用情報を生成し、当該情報処理装置へ送信する、
ことを特徴とする物流管理システム。
【請求項２】
前記情報処理装置の前記読み取り手段によって前記第１の記憶媒体から読み取られた前記記憶媒体用ＩＤと、当該情報処理装置から送信された、当該記憶媒体用ＩＤに対応する前記物品に関する情報と、を受信した前記サーバは、
前記データベースにおいて、当該物品に関する新たな情報を更なる前記データ要素として前記流通データを生成し、当該流通データを当該記憶媒体用ＩＤと対応付けて記憶する、
ことを特徴とする請求項１に記載の物流管理システム。
【請求項３】
１又は複数の商品からなる物品及び当該商品の流通に関する、複数のデータ要素からなる半構造化された流通データを取り扱う物流管理システムであって、
前記物品には、記憶媒体用ＩＤが読み取り可能な第１の記憶媒体が貼付されるとともに、前記１又は複数の商品それぞれには、該当の物品の前記記憶媒体用ＩＤに対応するタグ用ＩＤを読み取り可能なタグが貼付され、
前記物流管理システムは、
前記記憶媒体用ＩＤの読み取り手段を備えた情報処理装置と、
当該情報処理装置と情報通信ネットワークを介して通信可能であって、前記流通データに基づいて生成された、該当の物品に関する情報の閲覧用ホームページをディスプレイに表示させるためのリソースを保存するデータベースを有するサーバと、
を備えてなり、
前記情報処理装置の前記読み取り手段によって前記第１の記憶媒体から読み取られた前記記憶媒体用ＩＤと、当該情報処理装置から送信された、当該記憶媒体用ＩＤと前記タグ用ＩＤとの対応関係に関する情報と、を受信した前記サーバは、
前記データベースにおいて、当該対応関係に関する情報を更なる前記データ要素として前記流通データに基づいて前記リソースを生成し、
当該リソースに対応する、当該対応関係に関する情報を少なくとも含むＵＲＬたる当該タグ用ＩＤを生成する、
ことを特徴とする物流管理システム。
【請求項４】
前記ＵＲＬたる前記タグ用ＩＤは、バーコード化又は二次元コード化されて、該当のタグに記載されてなることを特徴とする請求項３に記載の物流管理システム。
【請求項５】
前記ＵＲＬたる前記タグ用ＩＤは、デジタルコード化されて、第２の記憶媒体としての該当のタグの備える記憶部に記憶されてなることを特徴とする請求項３に記載の物流管理システム。
【請求項６】
前記第１の記憶媒体は小型半導体であり、該当の記憶媒体用ＩＤは当該小型半導体の備える記憶部に記憶されてなることを特徴とする請求項１乃至５の何れかに記載の物流管理システム。
【請求項７】
前記記憶媒体用ＩＤは、バーコード化されて、該当の第１の記憶媒体に記載されてなることを特徴とする請求項１乃至５の何れかに記載の物流管理システム。
【請求項８】
前記記憶媒体用ＩＤは、二次元コード化されて、該当の第１の記憶媒体に記載されてなることを特徴とする請求項１乃至５の何れかに記載の物流管理システム。
【発明の詳細な説明】
【技術分野】
【０００１】
本発明は、物流管理システムに関する。
【背景技術】
【０００２】
一般に、経済活動における物品は複数の業者を経て流通するものである。例えば生産業者から出荷された農産物は、市場や小売店等の流通業者を介して、消費者の手元に届く。本出願人は、物流全般に有効なトレーサビリティシステムを構築すべく、所謂マイクロチップを用いた物流管理システムを提唱している（例えば、特許文献１参照。）。特許文献１においては、物品に貼付された読み取り可能なチップＩＤと、当該物品の流通に関するデータとが物流の管理者によって対応付けられてデータベースに保存されるシステムが開示されている。このシステムにおいて、例えば物品を購入した消費者が所定のリーダを備えた携帯端末からチップＩＤを物流管理者のサーバに送信すれば、当該物品に関する物流データを閲覧できるようになっている。
【０００３】
一方、物流の分野においてではないが、商品ＩＤと対応付けられた商品を購入しようとする消費者が、当該商品ＩＤがフラグメントとして埋め込まれたＵＲＬによって、Ｗｅｂデータベースにおける当該商品の価格情報を閲覧することが可能なシステムが開示されている（例えば、特許文献２参照。）。消費者は、購入しようとする商品の価格情報を、例えば所定の携帯端末にて閲覧できるようになっている。
【特許文献１】特願２００３−１６５２０７号
【特許文献２】特開２００３−１２２８９６号公報
【発明の開示】
【発明が解決しようとする課題】
【０００４】
しかしながら、例えば特許文献２に開示されたＷｅｂデータベースを用いたシステムにおいては、例えば当該システムの管理者としてのサーバは、消費者が閲覧を所望する情報に応じ、当該閲覧用のＨＴＭＬのシート等を予め画面数分だけ生成し、当該データベースに保存しておかなければならない。
【０００５】
よって、例えばチップＩＤをフラグメントとして埋め込んだＵＲＬを、例えば特許文献１に開示された物流管理システムに適用しても、閲覧に供する物流データはやはり大きなサイズを有するものとなる虞がある。これにより、サーバの負担が大きく、物流データを記憶させるために必要なデータベースの容量も大きくしなければならない。従って、物流管理が低効率であるとともに高コストとなる虞がある。
【０００６】
本発明はかかる課題に鑑みてなされたものであり、その目的とするところは、高効率且つ低コストな物流管理システムを提供することにある。
【課題を解決するための手段】
【０００７】
前記課題を解決するために、本発明は、記憶媒体用ＩＤを読み取り可能な第１の記憶媒体が貼付される物品の流通に関する流通データを当該記憶媒体用ＩＤと対応付けて保存するデータベースを有するサーバと、当該サーバと情報通信ネットワークを介して通信可能な、前記記憶媒体用ＩＤの読み取り手段を有する情報処理装置と、を備えた物流管理システムであって、前記流通データは複数のデータ要素から構成されて半構造化されてなり、前記情報処理装置の前記読み取り手段によって前記第１の記憶媒体から読み取られた前記記憶媒体用ＩＤと、当該情報処理装置から送信された、当該記憶媒体用ＩＤに対応する前記物品に関する表示用情報の送信要求と、を受信した前記サーバは、当該記憶媒体用ＩＤに対応する前記流通データを前記データベースから読み出し、当該流通データの前記データ要素に基づき、当該情報処理装置において取り扱い可能な前記表示用情報を生成し、当該情報処理装置へ送信してなる。
【０００８】
この物流管理システムによれば、前記サーバは、前記記憶媒体用ＩＤと当該記憶媒体用ＩＤに対応する前記物品に関する表示用情報の送信要求とを受信すると、当該記憶媒体用ＩＤに対応付けられた前記流通データを前記データベースから読み出し、当該流通データの前記データ要素に基づき、当該情報処理装置において取り扱い可能な前記表示用情報を生成できる。ここで、前記流通データは前記複数のデータ要素から構成されて半構造化されてなるために、前記サーバは、当該複数のデータ要素の少なくとも何れかを用いて様々な前記表示用情報を容易に生成できる。よって、従来のように前記表示用情報を予め生成しておく必要がない。つまり、前記サーバによって処理されるべき前記流通データが縮小される。これにより、前記サーバへの負担が軽減されるとともに、前記流通データを記憶させるために必要な前記データベースの容量も低減される。従って、物流管理の高効率化及び低コスト化が実現できる。
【０００９】
また、かかる物流管理システムにおいて、前記情報処理装置の前記読み取り手段によって前記第１の記憶媒体から読み取られた前記記憶媒体用ＩＤと、当該情報処理装置から送信された、当該記憶媒体用ＩＤに対応する前記物品に関する情報と、を受信した前記サーバは、前記データベースにおいて、当該物品に関する新たな情報を更なる前記データ要素として前記流通データを生成し、当該流通データを当該記憶媒体用ＩＤと対応付けて記憶することが好ましい。
【００１０】
この物流管理システムによれば、前記サーバは、前記記憶媒体用ＩＤと当該記憶媒体用ＩＤに対応する前記物品に関する情報とを受信すると、前記データベースにおいて、当該物品に関する新たな情報を更なる前記データ要素として前記流通データを生成し、当該流通データを当該記憶媒体用ＩＤと対応付けて記憶できる。例えば、前記物品の流通の過程において、前記流通データは、前記新たな情報によって新たになり得る。一方、従来の場合は、前記流通データに係る前記表示用情報を予め生成していたため、このような流通の過程において生成される前記新たな流通データから当該表示用情報を生成することが困難であった。これに対して、本発明においては、前記サーバは、前記表示用情報の送信要求があって初めて当該表示用情報を生成するために、前記新たな流通データを当該表示用情報に盛り込むことができる。これにより、物流管理の信頼性がより向上する。
【００１１】
更に、かかる物流管理システムにおいて、前記第１の記憶媒体は小型半導体であり、該当の記憶媒体用ＩＤは当該小型半導体の備える記憶部に記憶されてなることが好ましい。
【００１２】
この物流管理システムによれば、例えば前記第１の記憶媒体としての前記小型半導体を限られたコストで複製することは困難である。よって、例えば前記物流管理システムの外部において前記記憶媒体用ＩＤが読み取り可能な前記小型半導体を偽造することは困難である。これにより、物流管理の信頼性がより向上する。
【００１３】
また、かかる物流管理システムにおいて、前記記憶媒体用ＩＤは、バーコード化されて、該当の第１の記憶媒体に記載されていてもよい。
【００１４】
また、かかる物流管理システムにおいて、前記記憶媒体用ＩＤは、二次元コード化されて、該当の第１の記憶媒体に記載されていてもよい。
【００１５】
また、本発明は、１又は複数の商品からなる物品及び当該商品の流通に関する、複数のデータ要素からなる半構造化された流通データを取り扱う物流管理システムであって、前記物品には、記憶媒体用ＩＤが読み取り可能な第１の記憶媒体が貼付されるとともに、前記１又は複数の商品それぞれには、該当の物品の前記記憶媒体用ＩＤに対応するタグ用ＩＤを読み取り可能なタグが貼付され、前記物流管理システムは、前記記憶媒体用ＩＤの読み取り手段を備えた情報処理装置と、当該情報処理装置と情報通信ネットワークを介して通信可能であって、前記流通データに基づいて生成された、当該物品に関する情報の閲覧用ホームページをディスプレイに表示させるためのリソースを保存するデータベースを有するサーバと、を備えてなり、前記情報処理装置の前記読み取り手段によって前記第１の記憶媒体から読み取られた前記記憶媒体用ＩＤと、当該情報処理装置から送信された、当該記憶媒体用ＩＤと前記タグ用ＩＤとの対応関係に関する情報と、を受信した前記サーバは、前記データベースにおいて、当該対応関係に関する情報を更なる前記データ要素として前記流通データに基づいて前記リソースを生成し、当該リソースに対応する、当該対応関係に関する情報を少なくとも含むＵＲＬたる当該タグ用ＩＤを生成してなる。
【００１６】
この物流管理システムによれば、前記サーバは、前記記憶媒体用ＩＤと、当該記憶媒体用ＩＤと前記タグ用ＩＤとの対応関係に関する情報と、を受信すると、前記データベースにおいて、当該対応関係に関する情報を更なる前記データ要素として前記流通データに基づいて前記リソースを生成し、当該リソースに対応する、当該対応関係に関する情報を少なくとも含むＵＲＬたる当該タグ用ＩＤを生成できる。ここで、前記流通データが半構造化されていることにより、前記サーバは、前記対応関係に応じて例えばパス名が割り振られた前記リソースを前記データベースにおいて生成しておくことができる。これにより、例えば前記物品を、該当の各商品が独立した流通形態をとるものとしても、前記情報処理装置は、当該各商品の前記タグ用ＩＤを前記サーバに送信することによって該当の物品に関する前記流通データを閲覧に供することができる。つまり、前記情報処理装置が前記ＵＲＬたる前記タグ用ＩＤを前記サーバに送信すれば、該当の物品の前記ホームページを容易に表示することができる。よって、従来のように閲覧に供する前記流通データを予め生成しておく必要がない。また、従来のように前記商品の独立した流通形態の数分の種類を有する前記リソースを予め準備しておく必要がない。
【００１７】
また、例えば前記物品を、該当の各商品が複数の独立した流通形態をとるものとしても、当該各商品の流通に関する前記流通データを、例えば１つの該当の物品に貼付される１つの前記第１の記憶媒体から得ることができる。よって、前記複数の商品の流通の管理にあたり、当該各商品に関する複数の前記流通データを得る必要がなく、該当の物品に関する１つの流通データを得るだけで済む。更に、例えば前記複数の商品の流通を前記１つの物品の流通に関する流通データに基づいて管理できる。
【００１８】
従って、前記サーバによって処理されるべき流通データが縮小される。これにより、前記サーバへの負担が軽減されるとともに、前記流通データを記憶させるために必要な前記データベースの容量も低減される。従って、物流管理の高効率化及び低コスト化が実現できる。
【００１９】
また、前記タグ用ＩＤを参照すれば、該当の記憶媒体用ＩＤを知得でき、当該記憶媒体用ＩＤが読み取り可能となっている前記第１の記憶媒体が貼付された前記物品を検知できる。よって、例えば前記物品を、該当の各商品が追跡の困難な多数の独立した流通形態をとるものとしても、前記タグ用ＩＤを参照することによって、当該各商品について少なくとも前記物品の流通に関する流通データを得ることができる。従って、物流管理の大規模化を実現できる。
【００２０】
また、かかる物流管理システムにおいて、前記ＵＲＬたる前記タグ用ＩＤは、バーコード化又は二次元コード化されて、該当のタグに記載されていてもよい。
【００２１】
また、かかる物流管理システムにおいて、前記ＵＲＬたる前記タグ用ＩＤは、デジタルコード化されて、第２の記憶媒体としての該当のタグの備える記憶部に記憶されていてもよい。
【００２２】
この物流管理システムによれば、例えば前記ＵＲＬを前記バーコードや前記二次元コードにして、前記情報処理装置としての例えば携帯端末が備えた所定の読み取り手段で読み取り、当該携帯端末が前記サーバへＷｅｂ接続することが可能である。或いは、前記デジタルデータ化された前記ＵＲＬを、前記情報処理装置としての例えば携帯端末が備えた所定の読み書き手段によって、前記第２の記憶媒体としてのＲＦＩＤタグの前記記憶部（例えばＲＡＭ）に書き込むことも可能である。
【発明の効果】
【００２３】
高効率且つ低コストな物流管理システムを提供できる。
【発明を実施するための最良の形態】
【００２４】
＝＝＝第一の実施の形態＝＝＝
＜＜＜システムの構成＞＞＞
図１に示されるように、本実施の形態の物流管理システムは、データベース１０を有するサーバ２０と、当該サーバ２０とインターネット（情報通信ネットワーク）を介して通信可能な携帯端末（情報処理装置）４０と、を備えてなる。本実施の形態の物流管理の対象は農産物（物品）５０であり、当該農産物５０には、チップＩＤ（記憶媒体用ＩＤ、図１におけるＲＦＩＤ）が記憶されたＲＯＭを備えたマイクロチップ（第１の記憶媒体、ＲＦＩＤタグ）６０が貼付されている。
【００２５】
サーバ２０は、この農産物５０の流通に関する生産履歴や流通履歴等からなる流通データを保存するデータベース１０を備えており、例えば物流管理システムの管理者によって管理される。
【００２６】
携帯端末４０は、マイクロチップ６０からチップＩＤを読み取るためのリーダ（読み取り手段）を備えている。また、図１に示されるように、この携帯端末４０は、農産物５０の生産現場、市場や加工工場、店舗等において、生産業者、流通業者、販売業者等によって使用される。更に、図１に示されるように、この携帯端末４０は、消費者によっても使用される。
【００２７】
図２に示されるように、生産履歴としての流通データは、例えば、生産現場において農産物５０の栽培に係る作業（データ要素、物品に関する情報）と、当該作業に必要な機械名（データ要素、物品に関する情報）と、当該作業に必要な資材名（データ要素、物品に関する情報）とが、当該農産物５０を栽培する圃場及び当該作業の時刻毎に関連づけられている（半構造化された流通データ）。サーバ２０のデータベース１０には、例えばこのような関連づけを定義する所定のテーブルデータ（図３）が記憶されている。生産現場において前記のデータ要素が携帯端末４０から適宜入力されると、図３に示されるテーブルデータに基づいて、サーバ２０のデータベース１０に記憶された所定のプログラムの動作により、半構造化された流通データ、即ち履歴データ群が生成されていく。尚、図４に示されるように、本実施の形態においては、データ要素は携帯端末４０の適宜なディスプレイに適宜表示されたメニュー画面において入力されるようになっている。
【００２８】
流通履歴としての流通データについても、例えば図１に示される市場にて流通業者の有する携帯端末４０に備えられたリーダによってチップＩＤが読み取られる度に、当該流通業者によるアクセス情報等をデータ要素として前記の生産履歴としての流通データに加えられていく。これにより、生産履歴及び流通履歴としての履歴データ群が生成される。
【００２９】
＜＜＜流通データの表示＞＞＞
図５を参照しつつ、本実施の形態の物流管理システムにおける流通データ表示の動作について説明する。例えば図１に示される店舗において、販売業者の有する携帯端末４０に備えられたリーダによって読み取られたチップＩＤ（図５におけるＲＦＩＤ）と、当該販売業者が前述した作業に関する履歴の閲覧要求とがサーバ２０に送信されたものとする。図５に示されるように、これらを受信したサーバ２０は、履歴データ群から、前述したテーブルデータ（図５における対象品目関連付け制御テーブル）に基づいて所定のデータ要素を組み合わせて表示用情報（情報処理装置において取り扱い可能な表示用情報、図５における表示ファイル）を生成する。これにより、販売業者は、所望の流通データを閲覧できることになる。
【００３０】
本実施の形態の物流管理システムによれば、流通データは複数のデータ要素から構成されて半構造化されてなるために、サーバ２０は、当該複数のデータ要素の少なくとも何れかを用いて様々な表示用情報を容易に生成できる。よって、従来のように表示用情報を予め生成しておく必要がない。つまり、サーバ２０によって処理されるべき流通データが縮小される。これにより、サーバ２０への負担が軽減されるとともに、流通データを記憶させるために必要なデータベース１０の容量も低減される。従って、物流管理の高効率化及び低コスト化が実現できる。
【００３１】
また、本実施の形態の物流管理システムによれば、市場、加工工場、店舗等において、流通データは、新たな情報によって新たになり得る。一方、従来の場合は、流通データに係る表示用情報を予め生成していたため、このような流通の過程において生成される新たな流通データから表示用情報を生成することが困難であった。これに対して、本実施の形態においては、サーバ２０は、例えば販売業者や消費者等の携帯端末４０から表示用情報の送信要求があって初めて表示用情報を生成するために、新たな流通データを表示用情報に盛り込むことができる。これにより、物流管理の信頼性がより向上する。
【００３２】
更に、本実施の形態の物流管理システムによれば、例えばマイクロチップ６０を限られたコストで複製することは困難である。よって、本実施の形態の物流管理システムの外部においてチップＩＤが読み取り可能なマイクロチップ６０を偽造することは困難である。これにより、物流管理の信頼性がより向上する。
【００３３】
＝＝＝第二の実施の形態＝＝＝
＜＜＜システムの構成＞＞＞
本実施の形態におけるシステム構成は、図１乃至図４に例示される前述の実施の形態のシステム構成と略同様である。
【００３４】
本実施の形態においては、前述の実施の形態における農産物（物品）５０とは、箱単位の複数のトマト（商品）５５に対応する。ここで、マイクロチップ（第１の記憶媒体）６０は、トマトの箱に貼付される。この箱に収納された各トマト５５には、例えば店舗（図１）にて後述するＵＲＬ（タグ用ＩＤ）が印字されたタグ６５がそれぞれ貼付される。尚、このタグ６５が各トマト５５に貼付される場所は、店舗に限られるものではなく、例えば、生産現場、市場、加工工場（図１）等でもよい。また、後述するタグ６５が貼付される対象は、各トマト５５に限定されるものではなく、例えば袋単位のトマトであってもよい。
【００３５】
サーバ２０のデータベース１０は、箱単位のトマトに関する情報の閲覧用ホームページを携帯端末４０のディスプレイに表示させるためのリソースを保存する。本実施の形態のリソースは、前述の実施の形態における、複数のデータ要素からなる半構造化された流通データに基づき生成される。
【００３６】
＜＜＜箱単位のトマトと各トマトとの対応関係（小分け）＞＞＞
店舗において携帯端末４０のリーダによって箱のマイクロチップ６０から読み取られたチップＩＤと、例えば箱単位のトマトから各トマト５５への小分けの情報（記憶媒体用ＩＤとタグ用ＩＤとの対応関係に関する情報）とが、当該店舗の販売業者からサーバ２０に送信されたものとする。この時、サーバ２０は、データベース１０において、この小分けの情報を更なるデータ要素とする流通データに基づいてリソースを生成するとともに、当該リソースに対応する、当該小分けに関する情報を含むＵＲＬを生成する。ここで、小分けの情報とは、広く、本実施の形態の物流管理システム、当該システムを管理するサーバ２０、当該小分けを実施した例えば販売業者、小分けされた各トマト５５にサーバ２０から付与される番号等を意味する。
【００３７】
図６の概念図に示されるように、小分けによる箱単位のトマトの栽培履歴情報や流通履歴情報からなる流通データに対応するチップＩＤ（図６におけるＲＦＩＤ）は、各トマト５５に付与されるＵＲＬ（図６におけるコードラベル）と対応付けられる。このＵＲＬが印字されたタグ６５は、具体的には、サーバ２０の管理者から直接発行されてもよいし、サーバ２０から店舗の所定の端末４０に送信される所定の信号に基づいて当該端末４０に接続された適宜なプリンタから発行されるものであってもよい。
【００３８】
各タグ６５に印字されるＵＲＬは、例えば、"http://uide.jp/1/1/1/（番号）"である。これは、小分けされるトマト５５の個数分だけ生成される。
【００３９】
"uide.jp"は、ドメイン名に対応し、物理的なホストを識別するためのものであり、本実施の形態のサーバ２０に対応する。尚、このサーバ２０とは、本実施の形態のデータ要素を同期させた関係にあるサーバであれば、本物流管理システムのサーバ２０とは別のサーバであってもよい。
【００４０】
また、前記のドメイン名の直後の"1"は、本物流管理システムに対応し、１つのドメイン内で仮想サイトを識別する。これは、サーバ２０の汎用性を高めるために、内部構造で分割可能としたものでもある。
【００４１】
更に、前記の物流管理システムの直後の"1"は所在情報に対応し、本実施の形態においては、小分けを行った販売業者に対応する。
【００４２】
加えて、前記の所在情報の直後の"1"はモジュール名に対応し、本実施の形態においては、販売業者の行った小分けに対応する。
【００４３】
更に加えて、"（番号）"は、商品であるトマト５５の個数分だけサーバ２０において発番される互いに異なる番号である。
【００４４】
＜＜＜流通データの表示＞＞＞
図７を参照しつつ、本実施の形態の物流管理システムにおける流通データ表示の動作について説明する。トマト５５を購入した消費者（図１）によって、当該消費者の有する携帯端末４０から、当該トマト５５に貼付されたタグ６５に印字されたＵＲＬ（図７におけるコードラベル）がサーバ２０に送信されたものとする。ここで、前記のＵＲＬにおける例えば"/1/1/1/（番号）"をパス名として割り振られたリソースがデータベース１０において予め生成されているものとすれば、小分けの情報も掲載された箱単位のトマトに関するホームページが携帯端末４０のディスプレイに生成される。換言すれば、図７に示されるように、ＵＲＬを受信したサーバ２０は、データベース１０に記憶されたチップＩＤとＵＲＬとの所定の関連づけ（図７におけるＲＦＩＤ−コード関連付け制御テーブル）と前述したテーブルデータ（図７における対象品目関連付け制御テーブル）とに基づいて、履歴データ群から、所定のデータ要素を組み合わせて携帯端末４０のディスプレイにホームページを表示させる。これにより、消費者は、所望の流通データを閲覧できることになる。よって、従来のように閲覧に供する流通データを予め多数生成しておく必要がない。
【００４５】
また、本実施の形態の物流管理システムによれば、各トマト５５の流通データを、例えば１つの該当の箱に貼付された１つのマイクロチップ６０から得ることができる。よって、多数のトマト５５の流通の管理にあたり、当該各トマト５５に関する多数の流通データを得る必要がなく、該当の箱に関する１つの流通データを得るだけで済む。逆に、多数のトマト５５の流通を１つの箱の流通に関する流通データに基づいて管理できる。よって、サーバ２０によって処理されるべき流通データが縮小され、当該サーバ２０への負担が軽減されるとともに、流通データを記憶させるために必要なデータベース１０の容量も低減される。従って、物流管理の高効率化及び低コスト化が実現できる。
【００４６】
また、ＵＲＬを参照すれば、該当のチップＩＤを知得でき、当該チップＩＤが記憶されたマイクロチップ６０が貼付された箱を検知できる。よって、各トマト５５が追跡の困難な多数の独立した流通形態をとるものとしても、チップＩＤを参照することによって、各トマト５５について少なくとも箱の流通に関する流通データを得ることができる。従って、物流管理の大規模化を実現できる。
【００４７】
＝＝＝その他の実施の形態＝＝＝
前述した二つの実施の形態は、本発明の理解を容易にするためのものであり、本発明を限定して解釈するためのものではない。本発明は、その趣旨を逸脱することなく変更、改良されるとともに、本発明にはその等価物も含まれる。
【００４８】
前述した実施の形態におけるチップＩＤは、バーコード化又は二次元コード化されて、該当の適宜なタグ（第１の記憶媒体）に記載されていてもよい。
【００４９】
また、前述した実施の形態におけるＵＲＬは、バーコード化又は二次元コード化されて、該当の適宜なタグに記載されてもよいし、デジタルコード化されて、第２のマイクロチップ（第２の記憶媒体）のＲＡＭ（記憶部）に記憶されていてもよい。
【００５０】
これにより、ＵＲＬをバーコードや二次元コードにして、携帯端末４０が備えた所定のリーダで読み取り、当該携帯端末４０がサーバ２０へＷｅｂ接続することが可能である。或いは、デジタルデータ化されたＵＲＬを、携帯端末４０が備えた所定のリーダ・ライタ（読み書き手段）によってＲＡＭに書き込むことも可能である。
【図面の簡単な説明】
【００５１】
【図１】本実施の形態の物流管理システムの構成を示す図である。
【図２】本実施の形態の半構造化されたデータの構成概念を示す図である。
【図３】本実施の形態のテーブルデータの構成概念を示す図である。
【図４】本実施の形態のデータ要素入力時の携帯端末のディスプレイにおける表示例を示す図である。
【図５】第一の実施の形態の流通データの表示の動作を示すための概念図である。
【図６】第二の実施の形態のチップＩＤとＵＲＬとの対応関係を示す概念図である。
【図７】第二の実施の形態の流通データの表示の動作を示すための概念図である。
【符号の説明】
【００５２】
１０  データベース
２０  サーバ
４０  携帯端末
５０  農産物
５５  トマト
６０  マイクロチップ
６５  タグ
【図２】
2005082338.tif 000003
【図３】
2005082338.tif 000004
【図５】
2005082338.tif 000005
【図６】
2005082338.tif 000006
【図７】
2005082338.tif 000007
【図１】
2005082338.tif 000008
【図４】
2005082338.tif 000009